(57)【要約】【課題】携帯無線機の画面に、ＧＰＳデータ又は位置情報メッセージを直接表示できる位置表示システムの提供にある。【解決手段】送信側の携帯無線機１０の制御マイコン１１は、ＧＰＳ受信部１２がＧＰＳ信号を受信して作成したＧＰＳデータを、テキストメッセージコマンドのテキストメッセージに組み込んで、送受信部１３により受信側の携帯無線機１０に送信し、受信側の携帯無線機１０の制御マイコン１１は、送受信部１３が受信したコマンドフォーマットのコマンド種別データからテキストメセージを受信したことを確認し、テキストメッセージデータからＧＰＳデータを取り出して表示部１４へ表示する。【選択図】      図１
2007181058.tif 000002
【特許請求の範囲】
【請求項１】
携帯無線機による相互通信において、互いの位置をそれぞれの前記携帯無線機に表示する位置表示システムであって、
前記携帯無線機は、ＧＰＳ受信部と送受信部と表示部と制御マイコンとを有し、
前記制御マイコンは、テキストメッセージコマンドを有し、
送信側の前記携帯無線機の前記制御マイコンは、前記ＧＰＳ受信部がＧＰＳ信号を受信して作成したＧＰＳデータを、前記テキストメッセージコマンドのコマンドフォーマットのテキストメッセージに組み込んで、前記送受信部により受信側の前記携帯無線機に送信し、
受信側の前記携帯無線機の前記制御マイコンは、前記送受信部が受信した前記コマンドフォーマットのコマンド種別データから前記テキストメセージを受信したことを確認し、テキストメッセージデータから前記ＧＰＳデータを取り出して前記表示部へ表示することを特徴とする位置表示システム。
【請求項２】
請求項１に記載の位置表示システムにおいて、受信側の前記携帯無線機は、さらにシリアルポートを有し、前記制御マイコンは、取り出した前記ＧＰＳデータを、前記シリアルポートを介して外部パソコンに表示することを特徴とする位置表示システム。
【請求項３】
携帯無線機による相互通信において、互いの位置をそれぞれの前記携帯無線機に表示する位置表示システムであって、
前記携帯無線機は、ＧＰＳ受信部と送受信部と表示部と制御マイコンとを有し、
前記制御マイコンは、ステータスメッセージ送信コマンドを有し、
送信側の前記携帯無線機の前記制御マイコンは、前記ＧＰＳ受信部が、ＧＰＳ信号を受信して作成したＧＰＳデータを基に、予め記録されている、前記ＧＰＳデータが示す位置に対応する位置情報メッセージのステータス番号を読み出して選択し、前記選択したステータス番号を、前記ステータスメッセージ送信コマンドのコマンドフォーマットのステータスメッセージに組み込んで、前記送受信部により受信側の前記携帯無線機に送信し、
受信側の前記携帯無線機の前記制御マイコンは、前記送受信部が受信した前記コマンドフォーマットのコマンド種別データから前記ステータスメセージを受信したことを確認し、前記ステータスメッセージから前記ステータス番号を取り出し、予め記録されている、前記ステータス番号に対応するメッセージを読み出して、前記表示部へ表示することを特徴とする位置表示システム。
【請求項４】
請求項３に記載の位置表示システムにおいて、受信側の前記携帯無線機は、さらにシリアルポートを有し、前記制御マイコンは、取り出した前記ステータス番号に対応するメッセージを、前記シリアルポートを介して外部パソコンに表示することを特徴とする位置表示システム。
【発明の詳細な説明】
【技術分野】
【０００１】
本発明は、携帯無線機の位置表示システムに係り、詳しくは、相手携帯無線機から送られてきたＧＰＳデータを受信し、受信した携帯無線機の表示画面に相手携帯無線機の位置情報を表示する位置表示システムに関する。
【背景技術】
【０００２】
携帯無線機の利用においては、移動を伴う業務場所の位置情報を基地局に送信し、基地局は、パソコンに収集した各携帯無線機の位置データを基に所定の処理を行い、新たな業務指示の送信を行う。また広範囲の作業場所において、携帯無線機がそれぞれ必要に応じてパソコンに接続され、互いの位置を確認し、その位置情報を基に所定の処理を行いながら作業を進める等の利用が行われている。
【０００３】
図４は、携帯無線機の位置情報を送受信するシステムの模式図である。ＧＰＳ受信機は携帯無線機Ｂに接続されて、天空のＧＰＳ衛星のＧＰＳ信号を受信し、そのＧＰＳ信号から受信位置のＧＰＳデータを作成して、携帯無線機Ａへ送信する。携帯無線機Ａは、受信したＧＰＳデータをパソコンに送信し、パソコンは、ＧＰＳデータを処理してその位置情報をスクリーンに表示すると共に、目的に応じた処理をするためのデータとして利用する。
【０００４】
図３ａは、ＧＰＳ受信機が、ＧＰＳ信号を受信して、そのＧＰＳ信号から作成した受信位置のＧＰＳデータのデータフォーマットである。ＧＰＳデータは、世界協定時、測位状態、緯度、北緯／南緯、経度、東経／西経、速度、針路、及び日付の９項目から構成されている。従来の携帯無線機は、このＧＰＳデータをＧＰＳデータコマンドに組み込んで、データの送受信を行っている。図３ｂは、ＧＰＳデータコマンドのデータフォーマットである。データフォ−マットは、ヘッダー部を示すＳＴＸの項、コマンドを指定するコマンド種別の項、ＧＰＳデータを入れるＧＰＳデータの項、及びフッターを示すＥＴＸの項から構成されている。
【０００５】
従って携帯無線機ＢがＧＰＳデータを送信する場合は、コマンド種別の項に、ＧＰＳデータの送信であることを指定し、ＧＰＳデータの項に実際のＧＰＳデータを入れて送信する。携帯無線機Ａは、受信したデータがＧＰＳデータであれば、これをパソコンに送信し、パソコンは、このＧＰＳデータを処理して位置情報を画面に表示する。
【０００６】
ところで従来のＧＰＳデータの送受信は、パソコンの使用が前提とされていた。このため携帯無線機Ａ側にパソコンが無くて相手の位置情報が必要な場合、ＧＰＳコマンドによるＧＰＳデータ形式では、携帯無線機の画面に直接データを表示できないため、必要な情報を得られなかった。音声で位置情報を伝えようとすると、緯度、経度だけでも、２０桁前後の数字を要するため、正確に伝わり難く、トラブルの要因となっていた。特許文献１には、ＧＰＳアンテナとスピーカーとマイクとを内蔵したスピーカーマイク装置を備えた携帯用無線機の記載がされている。
【特許文献１】特開平９−１３９６９１号公報
【発明の開示】
【発明が解決しようとする課題】
【０００７】
本発明は、このような問題を解決するためになされたものであり、その目的は、携帯無線機の画面に直接ＧＰＳデータを表示できる位置表示システムの提供にある。
【課題を解決するための手段】
【０００８】
本発明の位置表示システムは、携帯無線機による相互通信において、互いの位置をそれぞれの携帯無線機に表示する位置表示システムであって、携帯無線機は、ＧＰＳ受信部と送受信部と表示部と制御マイコンとを有し、制御マイコンは、テキストメッセージコマンドを有し、送信側の携帯無線機の制御マイコンは、ＧＰＳ受信部がＧＰＳ信号を受信して作成したＧＰＳデータを、テキストメッセージコマンドのコマンドフォーマットのテキストメッセージに組み込んで、送受信部により受信側の携帯無線機に送信し、受信側の携帯無線機の制御マイコンは、送受信部が受信したコマンドフォーマットのコマンド種別データからテキストメセージを受信したことを確認し、テキストメッセージデータからＧＰＳデータを取り出して表示部へ表示することを特徴とする。
【０００９】
本発明の位置表示システムの受信側の携帯無線機は、さらにシリアルポートを有し、制御マイコンは、取り出したＧＰＳデータを、シリアルポートを介して外部パソコンに表示することを特徴とする。
【００１０】
本発明の位置表示システムは、携帯無線機による相互通信において、互いの位置をそれぞれの携帯無線機に表示する位置表示システムであって、携帯無線機は、ＧＰＳ受信部と送受信部と表示部と制御マイコンとを有し、制御マイコンは、ステータスメッセージ送信コマンドを有し、送信側の携帯無線機の制御マイコンは、ＧＰＳ受信部が、ＧＰＳ信号を受信して作成したＧＰＳデータを基に、予め記録されている、ＧＰＳデータが示す位置に対応する位置情報メッセージのステータス番号を読み出して選択し、選択したステータス番号を、ステータスメッセージ送信コマンドのコマンドフォーマットのステータスメッセージに組み込んで、送受信部により受信側の携帯無線機に送信し、受信側の携帯無線機の制御マイコンは、送受信部が受信したコマンドフォーマットのコマンド種別データからステータスメセージを受信したことを確認し、ステータスメッセージからステータス番号を取り出し、予め記録されているステータス番号に対応するメッセージを読み出して表示部へ表示することを特徴とする。
【００１１】
本発明の位置表示システムの受信側の携帯無線機は、さらにシリアルポートを有し、制御マイコンは、取り出したステータス番号に対応するメッセージを、シリアルポートを介して外部パソコンに表示することを特徴とする。
【発明の効果】
【００１２】
本発明によれば、携帯無線機の画面に直接ＧＰＳデータを表示できるため、音声による位置情報の送信が必要なくなり、正確で迅速な位置データの表示が可能となるため、業務推進の効率を向上させることができる。
【発明を実施するための最良の形態】
【００１３】
本発明によるの実施の形態について、図を用いて説明する。図１は、本発明の位置表示システムによる携帯無線機の構成を示す回路ブロック図である。図１において、携帯無線機１０は、制御マイコン１１とＧＰＳ受信部１２と送受信部１３と表示部１４とシリアルポート１５とを有する。また、シリアルポート１５は、外部のパソコン１６と接続される。
【００１４】
送信側の携帯無線機１０のＧＰＳ受信部１２は、天空のＧＰＳ衛星からＧＰＳ信号を受信し、そのＧＰＳ信号を基にして、ＧＰＳデータを作成し、制御マイコン１１へ送信する。制御マイコン１１は、テキストメッセージコマンドを有し、作成したＧＰＳデータを、このテキストメッセージコマンドのコマンドフォーマットのテキストメッセージに組み込んで、送受信部１３により受信側の携帯無線機１０へ送信する。
【００１５】
受信側の携帯無線機１０の送受信部１３は、テキストメッセージコマンドを受信して、制御マイコン１１へ送信する。制御マイコン１１は、受信したコマンドフォーマットのコマンド種別データから、テキストメセージを受信したことを確認し、テキストメッセージデータからＧＰＳデータを取り出して表示部１３へ表示する。また外部のパソコン１６がシリアルポート１５に接続されていると、制御マイコン１１は、シリアルポート１５を介して外部のパソコン１６へＧＰＳデータを送信する。パソコン１６は、ＧＰＳデータを表示すると共に、目的に応じた処理をするためのデータとして利用する。
【００１６】
図２ａは、テキストメッセージコマンドのデータフォーマットである。データフォ−マットは、ヘッダー部を示すＳＴＸの項、コマンドを指定するコマンド種別の項、相手先アドレスのＩＤデータを入れる相手先アドレスの項、ＧＰＳデータを入れるテキストメッセージの項、コマンドのシーケンス番号が入るシーケンス番号の項、及びフッターを示すＥＴＸの項から構成されている。従って携帯無線機１０がＧＰＳデータを送信する場合は、コマンド種別の項に、テキストメッセージの送信であることを指定し、テキストメッセージの項に実際のＧＰＳデータを入れて送信する。携帯無線機１０がＧＰＳデータを受信する場合は、コマンド種別の項でテキストメッセージの受信であることを確認し、テキストメッセージの項のＧＰＳデータを取り出して表示する。
【００１７】
次に制御マイコン１１が、ステータスメッセージ送信コマンドを有している場合について説明する。  送信側の携帯無線機１０の制御マイコン１１は、ＧＰＳ受信部１２が、ＧＰＳ信号を受信して作成したＧＰＳデータを基に、予め記録されている、ＧＰＳデータが示す位置に対応する位置情報メッセージのステータス番号を読み出して選択する。引き続き、選択したステータス番号を、ステータスメッセージ送信コマンドのコマンドフォーマットのステータスメッセージに組み込んで、送受信部１３により受信側の携帯無線機１０に送信する。
【００１８】
予め記録されている位置情報メッセージは、ＧＰＳデータの示す位置情報に対応する地図情報をメッセージ化したもので、ステータス番号に、Ａ駅南口、Ｂイベント会場広場、Ｃ町Ｄ番地地点等の具体的な位置メセージが対応している。ステータス番号は２桁から数十桁まであるため、業務に必要な地図情報をＧＰＳデータの位置情報に合わせメッセージ化して番号指定することで、きめ細かい表示が可能となる。
【００１９】
受信側の携帯無線機１０の制御マイコン１１は、送受信部１３が受信したコマンドフォーマットのコマンド種別データからステータスメセージを受信したことを確認し、ステータスメッセージからステータス番号を取り出し、予め記録されている、ステータス番号に対応するメッセージを読み出して、前記表示部１４へ表示する。
【００２０】
図２ｂは、ステータスメッセージ送信コマンドのデータフォーマットである。データフォ−マットは、ヘッダー部を示すＳＴＸの項、コマンドを指定するコマンド種別の項、相手先アドレスのＩＤデータを入れる相手先アドレスの項、ステータス番号を入れるステータスメッセージの項、コマンドのシーケンス番号が入るシーケンス番号の項、及びフッターを示すＥＴＸの項から構成されている。従って携帯無線機１０がＧＰＳデータを送信する場合は、コマンド種別の項に、ステータスメッセージの送信であることを指定し、ステータスメッセージの項にステータス番号を入れて送信する。携帯無線機１０がＧＰＳデータを受信する場合は、コマンド種別の項でステータスメッセージの受信であることを確認し、ステータスメッセージの項のステータス番号に対応するメッセージを取り出して表示する。
【００２１】
以上説明したように、本発明によると、携帯無線機の画面に直接ＧＰＳデータ又は位置メッセージを表示できるため、音声による位置情報の送信が必要なくなり、正確で迅速な位置データの表示が可能となり、業務の処理能力を向上させることができる。
【図面の簡単な説明】
【００２２】
【図１】本発明の位置表示システムによる携帯無線機の構成を示す回路ブロック図。
【図２】テキスト及びステータスメッセージコマンドのデータフォーマット。
【図３】ＧＰＳデータ及びＧＰＳデータコマンドのデータフォーマット。
【図４】携帯無線機の位置情報を送受信するシステムの模式図
【符号の説明】
【００２３】
１０  携帯無線機
１１  制御マイコン
１２  ＧＰＳ受信部
１３  送受信部
１４  表示部
１５  シリアルポート
１６  パソコン
【図１】
2007181058.tif 000003
【図２】
2007181058.tif 000004
【図３】
2007181058.tif 000005
【図４】
2007181058.tif 000006